(57)【要約】【課題】絶縁ハウジングに設けられて相手方コネクタ装置に嵌合する嵌合部が薄い肉厚を有した板状体を成すものとされたもとにあっても、当該嵌合部を剛性が増大せしめられて必要な強度を具えたものとすることができるコネクタ装置を提供する。      【解決手段】基板側コネクタ装置１３との嵌合状態におかれる板状体を成す嵌合部１７が設けられた絶縁ハウジング１４と、各々が嵌合部１７に配される接触接続部１９及び同軸ケーブル１２が接続されるケーブル接続部を有して絶縁ハウジング１４に配列配置される複数のコンタクト１８と、絶縁ハウジング１４に装着されて複数のコンタクト１８の夫々のケーブル接続部に対する電磁遮蔽作用を果たす導電性シェル１５とを備え、導電性シェル１５が、複数のコンタクト１８の配列方向に沿って伸びる本体部とそれから突出して絶縁ハウジング１４に設けられた嵌合部１７の一部を成す突出部２３とを有する。【選択図】図１
2019153528.tif 000002
【特許請求の範囲】
【請求項１】
相手方コネクタ装置との嵌合状態におかれる板状体を成す嵌合部が設けられた絶縁ハウジングと、
各々が上記嵌合部に配される接触接続部及び同軸ケーブルが接続されるケーブル接続部を有して上記絶縁ハウジングに配列配置され、上記嵌合部が上記相手方コネクタ装置との嵌合状態におかれたとき上記接触接続部が上記相手方コネクタ装置における相手方コンタクトに接触接続される複数のコンタクトと、
上記複数のコンタクトが夫々有する上記複数のケーブル接続部に対する電磁遮蔽作用を果たすものとして上記絶縁ハウジングに装着される導電性シェルと、
を備えて構成され、
上記導電性シェルが、上記複数のコンタクトの配列方向に沿って伸びる本体部と該本体部から突出して上記絶縁ハウジングに設けられた上記嵌合部の一部を成す突出部とを有し、上記突出部が部分的に上記絶縁ハウジングの一部に埋め込まれたものとされて上記嵌合部を補強する役割を果たすことを特徴とするコネクタ装置。
【請求項２】
上記突出部に透孔が形成されていて、該透孔が上記絶縁ハウジングの一部によって塞がれていることを特徴とする請求項１記載のコネクタ装置。
【請求項３】
上記突出部に形成された上記透孔が、上記複数のコンタクト，上記導電性シェルの部分及び上記絶縁ハウジングについてのインサート成形による一体形成にあたり、上記絶縁ハウジングを形成することになる溶融樹脂材の流路を成すことを特徴とする請求項２記載のコネクタ装置。
【請求項４】
上記透孔を塞ぐ上記絶縁ハウジングの一部が、上記溶融樹脂材の流路を成す上記透孔を通じた溶融樹脂材によって形成されることを特徴とする請求項３記載のコネクタ装置。
【請求項５】
上記突出部が、上記導電性シェルが有する上記本体部における上記複数のコンタクトの配列方向の両端部間の中央部分から突出していることを特徴とする請求項２記載のコネクタ装置。
【請求項６】
上記突出部が、上記導電性シェルが有する上記本体部における上記複数のコンタクトの配列方向の両端部分及び該両端部間の中央部分から突出し、上記透孔が上記中央部分から突出する上記突出部に形成されることを特徴とする請求項２記載のコネクタ装置。
【請求項７】
上記導電性シェルが、上記絶縁ハウジングを挟んで相互対向する第１のシェル部材と第２のシェル部材とを含んで成り、上記突出部が、上記第１のシェル部材及び上記第２のシェル部材のうちの一方から突出することを特徴とする請求項１記載のコネクタ装置。
【発明の詳細な説明】
【技術分野】
【０００１】
本願の特許請求の範囲に記載された発明は、複数の同軸ケーブルが装着されたもとで、例えば、ソリッド印刷配線基板等の回路基板に取り付けられた相手方コネクタ装置との嵌合連結状態におかれ、複数の同軸ケーブルと相手方コネクタ装置が取り付けられた回路基板との電気的接続を果すコネクタ装置に関する。
【背景技術】
【０００２】
複数の比較的細い同軸ケーブルを、各種の電気部品が取り付けられるソリッド印刷配線基板等の回路基板に電気的に接続するにあたっては、複数の同軸ケーブルが装着されるケーブル側コネクタ装置とされる第１のコネクタ装置と、回路基板に取り付けられて当該回路基板との電気的接続がなされ、第１のコネクタ装置との嵌合連結状態におかれる基板側コネクタ装置とされる第２のコネクタ装置と、が用いられることが多い。第１のコネクタ装置からみると、第２のコネクタ装置は第１のコネクタ装置にとっての相手方コネクタ装置となり、第２のコネクタ装置からみると、第１のコネクタ装置は第２のコネクタ装置にとっての相手方コネクタ装置となる。
【０００３】
斯かる場合、第１のコネクタ装置は、例えば、嵌合凸部とされる嵌合部が設けられた絶縁ハウジングを備え、その嵌合部に、複数の同軸ケーブルとの電気的接続がなされる複数のコンタクトの夫々の部分が配列配置される、プラグコネクタを成すものとされる。そして、第１のコネクタ装置は、通常、電磁波ノイズ対策のため複数のコンタクトの夫々と同軸ケーブルとの接続部分を覆うものあるいは絶縁ハウジングを部分的に覆うものとされる、金属板材製の導電性シェルや導電性カバーを備えている。また、第１のコネクタ装置の相手方コネクタ装置となる第２のコネクタ装置は、例えば、第１のコネクタ装置の絶縁ハウジングに設けられた嵌合部に嵌合する嵌合凹部とされる被嵌合部が設けられた絶縁ハウジングを備え、その絶縁ハウジングにおける被嵌合部に、各々の一端部が端子部とされて回路基板に電気的に接続される複数のコンタクトの夫々の部分が配列配置される、リセプタクルコネクタを成すものとされる。そして、第２のコネクタ装置も、通常、電磁波ノイズ対策のため複数のコンタクトと回路基板との接続部分を覆うものあるいは絶縁ハウジングを部分的に覆うものとされる、金属板材製の導電性シェルや導電性カバーを備えている。このようなもとで、第１のコネクタ装置の絶縁ハウジングに設けられた嵌合部が第２のコネクタ装置の絶縁ハウジングに設けられた被嵌合部との嵌合状態におかれるとき、第１のコネクタ装置における複数のコンタクトが、第２のコネクタ装置における複数のコンタクトに夫々接触接続される。
【０００４】
上述のようなケーブル側コネクタ装置とされる第１のコネクタ装置及び基板側コネクタ装置とされる第２のコネクタ装置にあっては、各々を小型にするための、夫々における複数のコンタクトの配列間隔（ピッチ）をできるだけ狭くするようになす狭ピッチ化、及び、第２のコネクタ装置が回路基板に取り付けられたもとで、複数のケーブルが装着された第１のコネクタ装置の絶縁ハウジングに設けられた嵌合部が第２のコネクタ装置の絶縁ハウジングに設けられた被嵌合部との嵌合状態におかれたとき、第１のコネクタ装置及び第２のコネクタ装置の全体の回路基板上における突出高をできるだけ低くするための、第１のコネクタ装置及び第２のコネクタ装置の夫々の厚みをできるだけ小とするようになす低背化、が要望されるところとなる。それゆえ、従来にあっては、斯かる要望を満たすことが意図されたケーブル側コネクタ装置と基板側コネクタ装置とを含んで成るコネクタ装置が提案されている（例えば、特許文献１参照。）。
【０００５】
上述の特許文献１に記載された従来のコネクタ装置にあっては、複数の同軸ケーブル(10)が装着されるケーブル側コネクタ装置であるプラグコネクタ（プラグ(2))が、回路基板（基板）に取りつけられる基板側コネクタ装置であるレセプタクルコネクタ（レセプタクル(6))に嵌合連結される。プラグコネクタは、絶縁ハウジングであるプラグハウジング(20)と、プラグハウジング(20)に配列配置されて固定された複数のコンタクトである雄端子(50)と、プラグハウジング(20)の外面部に取り付けられた導電性シェルであるプラグシェル(40)と、を備えて構成されている。
【０００６】
そして、プラグハウジング(20)には、レセプタクルコネクタとの嵌合状態におかれる嵌合部(20b) が複数の雄端子(50)の配列方向に沿って広がる突出平板状部を成す状態をもって設けられている。また、複数の雄端子(50)の夫々は、所定の形状に切り抜かれた金属板材が折り返されて形成されていて、一端部側にレセプタクルコネクタのコンタクトに接触接続される接触接続部（上接触部(52)及び下接触部(53)) が設けられており、また、他端部側に同軸ケーブル(10)が接続される結線部(58)が設けられている。このような複数の雄端子(50)が夫々有する複数の接触接続部は、プラグハウジング(20)における嵌合部(20b) に所定の間隔を置いて配列されている。
【０００７】
また、レセプタクルコネクタは、プラグハウジング(20)における嵌合部(20b) を収容する収容空間を形成する絶縁ハウジングであるレセプタクルハウジング(60)と、レセプタクルハウジング(60)が形成する収容空間内に配列配置された複数のコンタクトである雌端子(80)と、レセプタクルハウジング(60)の外面部に取り付けられた導電性シェルであるレセプタクルシェル(70)と、を備えて構成されている。そして、斯かるレセプタクルコネクタにプラグコネクタが嵌合連結される際には、レセプタクルハウジング(60)が形成する収容空間内にプラグハウジング(20)における嵌合部(20b) が収容される状態がとられ、プラグハウジング(20)における嵌合部(20b) に配された複数の雄端子(50)の接触接続部が、レセプタクルハウジング(60)が形成する収容空間内に配列配置された複数の雌端子(80)に夫々接触接続される。
【０００８】
このようなもとで、特許文献１に記載された従来のコネクタ装置を成すプラグコネクタ及びレセプタクルコネクタの夫々は、複数の雄端子(50)の配列間隔をできるだけ狭くするとともに、複数の雌端子(80)の配列間隔をできるだけ狭くする狭ピッチ化による小型化と、プラグハウジング(20)及びレセプタクルハウジング(60)の夫々の厚みをできるだけ小として、回路基板上における突出高を成す全体の厚みを低減する低背化とが図られたものとされている。とりわけ、プラグコネクタにあっては、突出平板状部を成す嵌合部(20b) を含めたプラグハウジング(20)が、その全体が薄い肉厚を有した板状体を成すものとされて、プラグコネクタ全体の低背化に寄与するものとされる。
【０００９】
そして、プラグコネクタにおいては、プラグハウジング(20)の全体が薄い肉厚を有した板状体を成すものとされていることに伴い、嵌合部(20b) も、その全体が極めて薄い肉厚を有した突出平板状部を成すものとされる。このようなもとで、嵌合部(20b) には、複数の雄端子(50)の接触接続部が極めて狭い間隔を置いて配列配置されていて、隣り合う二個の雄端子(50)の接触接続部の間にプラグハウジング(20)を形成する絶縁体が配された構成をもって嵌合部(20b) が形成されており、嵌合部(20b) における絶縁体の厚みは複数の雄端子(50)の接触接続部の夫々の厚みより僅かに大とされる程度の極めて薄いものとされる。
【先行技術文献】
【特許文献】
【００１０】
【特許文献１】特開２００７−７３４２６号公報
【発明の概要】
【発明が解決しようとする課題】
【００１１】
前述の従来のコネクタ装置にあっては、複数の同軸ケーブル(10)が装着されるケーブル側コネクタ装置であるプラグコネクタが、回路基板に取りつけられる基板側コネクタ装置であるレセプタクルコネクタに嵌合連結されるもとで、プラグコネクタにおいては、低背化が図られて、プラグハウジング(20)の全体が薄い肉厚を有した板状体を成すものとされたことに伴い、プラグハウジング(20)に設けられ、複数の雄端子(50)の接触接続部が極めて狭い間隔を置いて配列配置されたもとでレセプタクルコネクタのレセプタクルハウジング(60)に差し込まれる嵌合部(20b) も、その全体が極めて薄い肉厚を有した突出平板状部を成すものとされる。そして、嵌合部(20b) は、隣り合う二個の雄端子(50)の接触接続部の間にプラグハウジング(20)を形成する絶縁体が配されて構成されており、嵌合部(20b) における絶縁体の厚みは複数の雄端子(50)の接触接続部の夫々の厚みより僅かに大とされる程度の極めて薄いものとされる。
【００１２】
このような従来のコネクタ装置を構成するプラグコネクタにあっては、そのプラグハウジング(20)に設けられてレセプタクルコネクタとの嵌合状態をとる嵌合部(20b) が、それを構成する絶縁体の厚みが極めて薄いものとされることにより、剛性が不足して必要な強度が得られないものとなってしまい、その結果、例えば、当該嵌合部(20b) のレセプタクルコネクタとの嵌合に支障が来されて、プラグコネクタのレセプタクルコネクタに対する嵌合連結が適正に行われなくなるという不都合がもたらされる虞がある。
【００１３】
斯かる点に鑑み、本願の特許請求の範囲に記載された発明は、絶縁ハウジングと、絶縁ハウジングに装着された導電性シェルと、絶縁ハウジングに配列配置された複数のコンタクトとを備え、絶縁ハウジングが相手方コネクタ装置との嵌合状態におかれる嵌合部が設けられたものとされるとともに、複数のコンタクトの夫々が、絶縁ハウジングに設けられる嵌合部に配される接触接続部及び同軸ケーブルが接続されるケーブル接続部を有していて、嵌合部が相手方コネクタ装置との嵌合状態におかれたとき接触接続部が相手方コネクタ装置における相手方コンタクトに接触接続されるものとされて構成され、全体についての低背化が図られて、絶縁ハウジングに設けられた嵌合部が薄い肉厚を有した板状体を成すものとされたもとにあっても、当該嵌合部を剛性が増大せしめられて必要な強度を具えたものとすることができるコネクタ装置を提供する。
【課題を解決するための手段】
【００１４】
本願の特許請求の範囲における請求項１から請求項７までのいずれかに記載された発明（以下、本発明という。）に係るコネクタ装置は、相手方コネクタ装置との嵌合状態におかれる板状体を成す嵌合部が設けられた絶縁ハウジングと、各々が嵌合部に配される接触接続部及び同軸ケーブルが接続されるケーブル接続部を有して絶縁ハウジングに配列配置され、嵌合部が相手方コネクタ装置との嵌合状態におかれたとき接触接続部が相手方コネクタ装置における相手方コンタクトに接触接続される複数のコンタクトと、複数のコンタクトが夫々有する複数のケーブル接続部に対する電磁遮蔽作用を果たすものとして絶縁ハウジングに装着される導電性シェルとを備えて構成され、導電性シェルが、複数のコンタクトの配列方向に沿って伸びる本体部とそれから突出して絶縁ハウジングに設けられた嵌合部の一部を成す突出部とを有し、当該突出部が部分的に絶縁ハウジングの一部に埋め込まれたものとされて嵌合部を補強する役割を果たすことを特徴とする。
【００１５】
特に、本発明に係るコネクタ装置のうちの請求項２に記載されたものにあっては、導電性シェルが有する突出部に透孔が形成されていて、その透孔が絶縁ハウジングの一部によって塞がれたものとされる。
【００１６】
さらに、本発明に係るコネクタ装置のうちの請求項３に記載されたものにあっては、導電性シェルが有する突出部に形成された透孔が、複数のコンタクト，導電性シェルの部分及び絶縁ハウジングについてのインサート成形による一体形成にあたり、絶縁ハウジングを形成することになる溶融樹脂材の流路を成すものとされる。
【００１７】
上述のように構成される本発明に係るコネクタ装置においては、相手方コネクタ装置との嵌合状態におかれる板状体を成す嵌合部が設けられた絶縁ハウジングと、各々が嵌合部に配される接触接続部及び同軸ケーブルが接続されるケーブル接続部を有して絶縁ハウジングに配列配置される複数のコンタクトと、複数のコンタクトが夫々有する複数のケーブル接続部に対する電磁遮蔽作用を果たすものとして絶縁ハウジングに装着される導電性シェルとを備えて構成されたもとで、導電性シェルが、絶縁ハウジングにおける複数のコンタクトの配列方向に沿って伸びる本体部とそれから突出して絶縁ハウジングに設けられた嵌合部の一部を成す突出部とを有したものとされ、導電性シェルにおける突出部が、部分的に絶縁ハウジングの一部に埋め込まれたものとされて嵌合部を補強する役割を果たす。
【００１８】
このようなもとで、本発明に係るコネクタ装置にあっては、例えば、導電性シェルが有する突出部が、それに透孔が形成されたものとされていて、その透孔が絶縁ハウジングの一部によって塞がれたものとされ、さらには、導電性シェルが有する突出部に形成された透孔は、複数のコンタクト，導電性シェルの部分及び絶縁ハウジングについてのインサート成形による一体形成にあたって、絶縁ハウジングを形成することになる溶融樹脂材の流路を成すものとされる。
【発明の効果】
【００１９】
上述の本発明に係るコネクタ装置によれば、相手方コネクタ装置との嵌合状態におかれる板状体を成す嵌合部が設けられた絶縁ハウジングと、各々が嵌合部に配される接触接続部及び同軸ケーブルが接続されるケーブル接続部を有して絶縁ハウジングに配列配置される複数のコンタクトと、複数のコンタクトが夫々有する複数のケーブル接続部に対する電磁遮蔽作用を果たすものとして絶縁ハウジングに装着される導電性シェルとを備えて構成されたもとにおいて、導電性シェルが有する突出部が、絶縁ハウジングに設けられた嵌合部の一部を成し、部分的に絶縁ハウジングの一部に埋め込まれたものとされて嵌合部を補強する役割を果たすので、全体についての低背化が図られて、絶縁ハウジングに設けられた嵌合部が薄い肉厚を有した板状体を成すものとされたもとにおいても、当該嵌合部を剛性が増大せしめられて必要な強度を具えたものとすることができることになる。その結果、絶縁ハウジングに設けられた嵌合部の相手方コネクタ装置との嵌合に支障が来される事態が回避され、本発明に係るコネクタ装置の相手方コネクタ装置に対する嵌合連結が適正に行われることになる。
【００２０】
また、本発明に係るコネクタ装置が、導電性シェルが有する突出部に透孔が形成されたものとされて、その透孔が、絶縁ハウジングの一部によって塞がれたものとされ、さらには、複数のコンタクト，導電性シェルの部分及び絶縁ハウジングについてのインサート成形による一体形成にあたって、絶縁ハウジングを形成することになる溶融樹脂材の流路を成すものとされる場合には、複数のコンタクト，導電性シェルの部分及び絶縁ハウジングについてのインサート成形による一体形成が、絶縁ハウジングを形成することになる溶融樹脂材の適正な流れが得られて、例えば、絶縁ハウジングにおける不所望なウエルドラインの発生が抑制されるもとで行われ、絶縁ハウジングに設けられた嵌合部の強度がさらに高められる。
【図面の簡単な説明】
【００２１】
【図１】本発明に係るコネクタ装置の一例を、それに装着された複数の同軸ケーブル、及び、それが嵌合連結される相手方コネクタ装置と共に示す斜視図である。
【図２】本発明に係るコネクタ装置の一例における第１のシェル部材と複数のコンタクトとの配置関係を示す斜視図である。
【図３】本発明に係るコネクタ装置の一例における絶縁ハウジングに複数のコンタクトが配列配置されるとともに第１のシェル部材が装着された状態を示す斜視図である。
【図４】本発明に係るコネクタ装置の一例における絶縁ハウジングに複数のコンタクトが配列配置されるとともに第１のシェル部材が装着された状態を示す平面図である。
【図５】本発明に係るコネクタ装置の一例における絶縁ハウジングに複数のコンタクトが配列配置されるとともに第１のシェル部材が装着された状態を示す底面図である。
【図６】図４におけるVI−VI線断面を示す断面図である。
【図７】図２に示される一点鎖線枠Ｅ内を拡大してあらわし、複数のコンタクト，第１のシェル部材及び絶縁ハウジングについてのインサート成形による一体形成にあたっての絶縁ハウジングを形成することになる溶融樹脂材の流路の説明に供される拡大斜視図である。
【図８】複数のコンタクト，第１のシェル部材及び絶縁ハウジングについてのインサート成形による一体形成にあたっての絶縁ハウジングを形成することになる溶融樹脂材の流路の説明に供される参考斜視図である。
【図９】本発明に係るコネクタ装置の一例が相手方コネクタ装置に嵌合連結された状態を示す斜視図である。
【図１０】本発明に係るコネクタ装置の一例が相手方コネクタ装置に嵌合連結された状態を本発明に係るコネクタ装置の一例からカバー付き係合部材を除去して示す斜視図である。
【図１１】本発明に係るコネクタ装置の一例が相手方コネクタ装置に嵌合連結された状態を本発明に係るコネクタ装置の一例からカバー付き係合部材を除去して示す平面図である。
【図１２】図１１における XII−XII 線断面を示す断面図である。
【図１３】図１１におけるXIII−XIII線断面を示す断面図である。
【図１４】図１１における XIV−XIV 線断面を示す断面図である。
【発明を実施するための形態】
【００２２】
本発明を実施するための形態は、以下に述べられる本発明についての実施例をもって説明される。
【実施例】
【００２３】
図１は、本発明に係るコネクタ装置の一例を、それに連結された複数の同軸ケーブル、及び、それが嵌合連結される相手方コネクタ装置と共に示す。
【００２４】
図１において、本発明に係るコネクタ装置の一例を成すコネクタ装置１１は、複数の同軸ケーブル１２が電気的に装着されたもとで、例えば、ソリッド印刷配線基板とされる回路基板（図示が省略されている。）にそれに設けられた電気回路構成部との電気的接続がなされて取り付けられた、相手方コネクタ装置を成す基板側コネクタ装置１３に嵌合連結される、ケーブル側コネクタ装置として用いられるものとされている。そして、コネクタ装置１１は、合成樹脂等の絶縁材料によって形成された絶縁ハウジング１４, 電磁波ノイズ対策のため絶縁ハウジング１４に装着された第１のシェル部材１５Ａと第２のシェル部材１５Ｂとから成る導電性シェル１５、及び、導電性シェル１５に対して回動可能に配されたカバー付き係合部材１６を備えている。
【００２５】
絶縁ハウジング１４には、基板側コネクタ装置１３（相手方コネクタ装置）との嵌合状態におかれる板状体を成す嵌合部１７が設けられており、また、各々が導電性板状金属材料に屈曲加工が施されて形成された複数のコンタクト１８が配列配置されている。導電性シェル１５を構成する第１のシェル部材１５Ａ及び第２のシェル部材１５Ｂは、各々が弾性を有した金属板材料が屈曲加工されて形成されていて、絶縁ハウジング１４を挟み込んで相互係合するものとされており、絶縁ハウジング１４にその外面部を部分的に覆う状態をもって固定されている。
【００２６】
図２は、導電性シェル１５を構成する第１のシェル部材１５Ａ及び複数のコンタクト１８の夫々の構成、及び、第１のシェル部材１５Ａと複数のコンタクト１８との配置関係を、絶縁ハウジング１４を除去した状態をもって示す。図２に示されるように、絶縁ハウジング１４に配列配置された複数のコンタクト１８の各々は、絶縁ハウジング１４の嵌合部１７に配される接触接続部１９及び同軸ケーブル１２が接続されるケーブル接続部２０を有しており、複数の接触接続部１９が配列されて成る接触接続部列と複数のケーブル接続部２０が配列されて成るケーブル接続部列とが、相互に平行なものとして形成されている。複数のコンタクト１８の夫々における接触接続部１９は折り返し部を成すものとされており、複数のコンタクト１８のうちの相互隣接する２個にあっては、接触接続部１９が成す折り返し部の折り返し方向が互いに逆方向とされている。そして、第１のシェル部材１５Ａは、複数のコンタクト１８におけるケーブル接続部列側の位置において複数のコンタクト１８の配列方向（以下、コンタクト配列方向という。）に沿って伸びる第１のシェル本体部２１と、第１のシェル本体部２１における長手方向（コンタクト配列方向）の両側端部から夫々突出してコンタクト１８に沿う方向に伸びるものとして設けられた一対の突出部２２と、第１のシェル本体部２１におけるコンタクト配列方向の両端部間の中央部分から突出してコンタクト１８に沿う方向に伸びるものとして設けられた突出部２３とを有している。そして、第１のシェル本体部２１におけるコンタクト配列方向の両端部間の中央部分から突出する突出部２３には、透孔２４が形成されている。
【００２７】
図３（斜視図），図４（平面図）及び図５（底面図）は、絶縁ハウジング１４と図２に示される第１のシェル部材１５Ａ及び複数のコンタクト１８とが一体形成された状態を示す。図３〜図５に示されるように、第１のシェル本体部２１におけるコンタクト配列方向の両側端部から夫々突出する一対の突出部２２と第１のシェル部材１５Ａにおける長手方向であるコンタクト配列方向の両端部間の中央部分から突出する突出部２３とは、絶縁ハウジング１４に設けられて複数のコンタクト１８が夫々有する複数の接触接続部１９が接触接続部列を成して配された嵌合部１７の一部を成すものとされている。そして、一対の突出部２２及び突出部２３の夫々は、部分的に絶縁ハウジング１４の一部に埋め込まれたものとされていて、絶縁ハウジング１４に設けられた嵌合部１７を補強する役割を果たしている。なお、第１のシェル部材１５Ａにおけるコンタクト配列方向の両側端部に一対の突出部２２が設けられることは必ずしも必要ではなく、突出部２３のみが第１のシェル部材１５Ａにおけるコンタクト配列方向の両端部間の中央部分に設けられる構成がとられてもよい。
【００２８】
また、絶縁ハウジング１４には、嵌合部１７に加えて、コンタクト配列方向に沿って伸びて、配列配置された複数のコンタクト１８の夫々における接触接続部１９とケーブル接続部２０との間の部分を支える竜骨部２５が設けられている。絶縁ハウジング１４に設けられた竜骨部２５は、その内部に複数のコンタクト１８の夫々における接触接続部１９とケーブル接続部２０との間の部分が埋め込まれたものとされており、それとともに、第１のシェル部材１５Ａが有する突出部２３に形成された透孔２４を塞ぐものとされている。
【００２９】
このような図３〜図５に示される、絶縁ハウジング１４と図２に示される第１のシェル部材１５Ａ及び複数のコンタクト１８とが一体形成されて成る構造体は、例えば、第１のシェル部材１５Ａ及び複数のコンタクト１８が配置された金型内に、溶融樹脂材が流し込まれて絶縁ハウジング１４が形成されるインサート成形によって得られる。斯かるインサート成形が行われるときには、例えば、図４におけるVI−VI線断面を示す図６における第１のシェル部材１５Ａが有する突出部２３に形成された透孔２４に対応する位置において、図６に示される矢印Ｉにより示される方向から金型内に溶融樹脂材が注入され、注入完了後に溶融樹脂材が凝固せしめられて、嵌合部１７及び竜骨部２５を含めた絶縁ハウジング１４が形成される。その結果、絶縁ハウジング１４にあっては、図５に示されるように、その底面側に溶融樹脂材の注入部位を示す注入口跡２６が残される。
【００３０】
上述のようにして嵌合部１７及び竜骨部２５を含めた絶縁ハウジング１４を形成するための溶融樹脂材の注入が行われる際には、図２に示される一点鎖線枠Ｅ内を拡大して示す図７において複数の矢印によって示されるように、第１のシェル部材１５Ａが有する突出部２３に形成された透孔２４が、溶融樹脂材の流路を成すものとされ、それにより、透孔２４を塞ぐものとされる絶縁ハウジング１４に設けられる竜骨部２５における突出部２３に対応する部分が、透孔２４を通じた溶融樹脂材によって形成される。その結果、突出部２３に対応する部分を含めた竜骨部２５が、溶融樹脂材が衝突合流することにより生じて脆弱部分となるウエルドラインを伴う虞れなく形成され得ることになる。
【００３１】
斯かる際において、仮に、第１のシェル部材１５Ａが有する突出部２３に透孔２４が形成されていないとすると、図８において複数の矢印によって示されるように、溶融樹脂材が、第１のシェル部材１５Ａが有する突出部２３のコンタクト配列方向の両側部分側から突出部２３を挿み込むようにして流れ込んで衝突合流することになり、それにより、絶縁ハウジング１４に設けられる竜骨部２５における突出部２３に対応する部位に、脆弱部分となるウエルドラインが形成されてしまう虞がある。
【００３２】
上述のようにして得られる図３〜図５に示される絶縁ハウジング１４と第１のシェル部材１５Ａと複数のコンタクト１８とが一体形成されて成る構造体にあっては、複数のコンタクト１８のケーブル接続部２０に複数の同軸ケーブル１２が夫々電気的に接続される（より詳細には、複数の同軸ケーブル１２の夫々の中心導体１２ａ（後述される図１２及び図１３に示されている。）が、複数のコンタクト１８のケーブル接続部２０のうちの対応するものに接続される。）。それにより、複数の同軸ケーブル１２がコネクタ装置１１に装着された状態が得られる。また、斯かる構造体における第１のシェル部材１５Ａに、第１のシェル部材１５Ａと共に導電性シェル１５を構成する第２のシェル部材１５Ｂが係合せしめられて固定され、それにより、図１に示される第１のシェル部材１５Ａと第２のシェル部材１５Ｂとから成る導電性シェル１５が得られる。第２のシェル部材１５Ｂは、複数のコンタクト１８におけるケーブル接続部列側の位置においてコンタクト配列方向に沿って伸びる第２のシェル本体部２７と、第２のシェル本体部２７から突出してコンタクト配列方向に沿って広がり、絶縁ハウジング１４に設けられた竜骨部２５を覆うものとされた覆い部２８とを有している。
【００３３】
第１のシェル部材１５Ａが有する第１のシェル本体部２１と第２のシェル部材１５Ｂが有する第２のシェル本体部２７とは、第１のシェル部材１５Ａに第２のシェル部材１５Ｂが係合せしめられて導電性シェル１５を形成するもとにおいて、導電性シェル１５におけるコンタクト配列方向に沿って伸びる本体部を成しており、斯かる本体部を有した導電性シェル１５は、当該本体部から突出して絶縁ハウジング１４に設けられた嵌合部１７の一部を成す一対の突出部２２と突出部２３とを有していることになる。そして、第１のシェル本体部２１と第２のシェル本体部２７とが成す本体部を有した導電性シェル１５は、その本体部が、複数の同軸ケーブル１２が接続される複数のコンタクト１８が夫々有する複数のケーブル接続部２０を覆うものとされて、当該複数のケーブル接続部２０に対する電磁遮蔽作用を果たすものとされている。
【００３４】
導電性シェル１５に対して回動可能に配されたカバー付き係合部材１６は、金属棒材に屈曲加工が施されて形成され、両端部が導電性シェル１５の本体部におけるコンタクト配列方向の両端部分に回動自在に係合せしめられた枠状体３０と、金属板材に打抜き・屈曲加工が施されて形成され、枠状体３０に取り付けられた板状カバー３１とを備えている。斯かるカバー付き係合部材１６は、コネクタ装置１１が基板側コネクタ装置１３との嵌合連結状態におかれたとき、板状カバー３１によって基板側コネクタ装置１３を覆う状態をもって基板側コネクタ装置１３に係合し、コネクタ装置１１についての基板側コネクタ装置１３に対する係止を行い、コネクタ装置１１に基板側コネクタ装置１３との嵌合連結状態を維持させる役割を果たす。板状カバー３１には、基板側コネクタ装置１３に当接接触する複数の弾性片部３３が設けられている。
【００３５】
図１に示される相手方コネクタ装置を成す基板側コネクタ装置１３は、図示されていない回路基板に取り付けられたものとされるが、その回路基板における接地電位部に、例えば、半田付けによって接続される複数の基板接続部３６が設けられた導電性シェル３７と、回路基板に配され、導電性シェル３７によって覆われて固定された絶縁ハウジング３８とを備えている。絶縁ハウジング３８には、コネクタ装置１１における絶縁ハウジング１４に設けられた嵌合部１７が差し込まれて嵌合せしめられる嵌合口部３９（後述される図１２及び図１３に示されている。）が設けられており、嵌合口部３９内には複数の基板側コンタクト４０（後述される図１２及び図１３に示されている。）が配列配置されている。
【００３６】
図９は、コネクタ装置１１における絶縁ハウジング１４に設けられた嵌合部１７が基板側コネクタ装置１３の絶縁ハウジング３８に設けられた嵌合口部３９に差し込まれて、複数の同軸ケーブル１２が装着されたコネクタ装置１１が基板側コネクタ装置１３との嵌合連結状態におかれ、コネクタ装置１１に備えられたカバー付き係合部材１６が基板側コネクタ装置１３に係合した状態を示す。斯かるもとにあっては、コネクタ装置１１に備えられたカバー付き係合部材１６における板状カバー３１が、コネクタ装置１１の導電性シェル１５を構成する第２のシェル部材１５Ｂにおける覆い部２８とコネクタ装置１１の絶縁ハウジング１４に設けられた嵌合部１７が嵌合せしめられた基板側コネクタ装置１３と全面的に覆う状態をもって、基板側コネクタ装置１３の導電性シェル３７に係合するものとされており、板状カバー３１に設けられた複数の弾性片部３３が、基板側コネクタ装置１３の導電性シェル３７に当接接触している。
【００３７】
図１０及び図１１は、図９に示されるように複数の同軸ケーブル１２が装着されたコネクタ装置１１が基板側コネクタ装置１３との嵌合連結状態におかれたもとで、コネクタ装置１１に備えられたカバー付き係合部材１６が除去された状態を示す。このようにして、コネクタ装置１１における絶縁ハウジング１４に設けられた嵌合部１７が基板側コネクタ装置１３の絶縁ハウジング３８に設けられた嵌合口部３９に差し込まれて、コネクタ装置１１が基板側コネクタ装置１３との嵌合連結状態におかれたときには、図１１における XII−XII 線断面を示す図１２及び図１１におけるXIII−XIII線断面を示す図１３に示されるように、コネクタ装置１１における同軸ケーブル１２の中心導体１２ａが接続されたケーブル接続部２０を有したコンタクト１８の接触接続部１９が、コネクタ装置１１における嵌合部１７に配された状態のもとで、基板側コネクタ装置１３における嵌合口部３９内に配されて基板側コネクタ装置１３が取り付けられた回路基板における電気回路構成部に接続された基板側コンタクト４０に接触接続される。それにより、コネクタ装置１１に装着された複数の同軸ケーブル１２の夫々の中心導体１２ａが、コネクタ装置１１におけるコンタクト１８及び基板側コネクタ装置１３における基板側コンタクト４０を通じて、基板側コネクタ装置１３が取り付けられた回路基板における電気回路構成部に電気的に接続される。
【００３８】
また、このとき、図１１における XIV−XIV 線断面を示す図１４に示されるように、コネクタ装置１１の絶縁ハウジング１４に設けられた嵌合部１７の一部を成すものとされた、コネクタ装置１１における導電性シェル１５の本体部から突出する突出部２３は、基板側コネクタ装置１３における嵌合口部３９内に配されて基板側コネクタ装置１３が取り付けられた回路基板における接地電位部に接続された基板側グラウンドコンタクト４１に接触接続される。それにより、突出部２３が設けられたコネクタ装置１１における導電性シェル１５に、基板側グラウンドコンタクト４１及び突出部２３を通じて回路基板における接地電位部からの接地電位が与えられる。
【００３９】
上述のようにケーブル側コネクタ装置として用いられるコネクタ装置１１にあっては、相手方コネクタ装置とされる基板コネクタ装置１３との嵌合状態におかれる板状体を成す嵌合部１７が設けられた絶縁ハウジング１４と、各々が嵌合部１７に配される接触接続部１９及び同軸ケーブル１２が接続されるケーブル接続部２０を有して絶縁ハウジング１４に配列配置される複数のコンタクト１８と、複数のコンタクト１８が夫々有する複数のケーブル接続部２０に対する電磁遮蔽作用を果たすものとして絶縁ハウジング１４に装着される導電性シェル１５とを備えて構成されたもとにおいて、導電性シェル１５が有する突出部２３が、絶縁ハウジング１４に設けられた嵌合部１７の一部を成し、部分的に絶縁ハウジング１４の一部に埋め込まれたものとされて嵌合部１７を補強する役割を果たすので、コネクタ装置１１の全体についての低背化が図られて、絶縁ハウジング１４に設けられた嵌合部１７が薄い肉厚を有した板状体を成すものとされたもとにおいても、当該嵌合部１７を剛性が増大せしめられて必要な強度を具えたものとすることができる。その結果、絶縁ハウジング１４に設けられた嵌合部１７の基板側コネクタ装置１３との嵌合に支障が来される事態が回避され、コネクタ装置１１の基板側コネクタ装置１３に対する嵌合連結が適正に行われることになる。
【００４０】
また、コネクタ装置１１においては、導電性シェル１５が有する突出部２３に透孔２４が形成されたものとされて、その透孔２４が、絶縁ハウジング１４の一部を成す竜骨部２５によって塞がれたものとされ、さらには、複数のコンタクト１８，導電性シェル１５を構成する第１のシェル部材１５Ａ及び絶縁ハウジング１４についてのインサート成形による一体形成にあたって、絶縁ハウジング１４を形成することになる溶融樹脂材の流路を成すものとされるので、複数のコンタクト１８，導電性シェル１５を構成する第１のシェル部材１５Ａ及び絶縁ハウジング１４についてのインサート成形による一体形成が、絶縁ハウジング１４を形成することになる溶融樹脂材の適正な流れが得られて、例えば、絶縁ハウジング１４における不所望なウエルドラインの発生が抑制されるもとで行われ、絶縁ハウジング１４に設けられた嵌合部１７の強度がさらに高められる。
【産業上の利用可能性】
【００４１】
以上のような本発明に係るコネクタ装置は、絶縁ハウジングと、絶縁ハウジングに装着された導電性シェルと、絶縁ハウジングに配列配置された複数のコンタクトとを備え、絶縁ハウジングが相手方コネクタ装置との嵌合状態におかれる嵌合部が設けられたものとされるとともに、複数のコンタクトの夫々が、絶縁ハウジングに設けられる嵌合部に配される接触接続部及び同軸ケーブルが接続されるケーブル接続部を有していて、嵌合部が相手方コネクタ装置との嵌合状態におかれたとき接触接続部が相手方コネクタ装置における相手方コンタクトに接触接続されるものとされて構成され、全体についての低背化が図られて、絶縁ハウジングに設けられた嵌合部が薄い肉厚を有した板状体を成すものとされたもとにあっても、当該嵌合部を剛性が増大せしめられて必要な強度を具えたものとすることができるものとして、様々な電子機器等に広く適用され得るものである。
【符号の説明】
【００４２】
１１・・・コネクタ装置，  １２・・・同軸ケーブル，  １３・・・基板側コネクタ装置，  １４，３８・・・絶縁ハウジング，  １５，３７・・・導電性シェル，  １５Ａ・・・第１のシェル部材，  １５Ｂ・・・第２のシェル部材，  １６・・・カバー付き係合部材，  １７・・・突出部，  １８・・・コンタクト，  １９・・・接触接続部，  ２０・・・ケーブル接続部，  ２１・・・第１のシェル本体部，  ２２，２３・・・突出部，  ２４・・・透孔，  ２５・・・竜骨部，  ２７・・・第２のシェル本体部，  ２８・・・覆い部，  ３０・・・枠状体，  ３１・・・板状カバー，  ３３・・・弾性片部，  ３６・・・基板接続部，  ３９・・・嵌合口部，  ４０・・・基板側コンタクト，  ４１・・・基板側グラウンドコンタクト
【図１】
2019153528.tif 000003
【図２】
2019153528.tif 000004
【図３】
2019153528.tif 000005
【図４】
2019153528.tif 000006
【図５】
2019153528.tif 000007
【図６】
2019153528.tif 000008
【図７】
2019153528.tif 000009
【図８】
2019153528.tif 000010
【図９】
2019153528.tif 000011
【図１０】
2019153528.tif 000012
【図１１】
2019153528.tif 000013
【図１２】
2019153528.tif 000014
【図１３】
2019153528.tif 000015
【図１４】
2019153528.tif 000016